(57)【特許請求の範囲】
【請求項１】
中棒(1)の上端に固着した上ロクロ(2)と、中棒(1)に摺動自在に外挿せしめた下ロクロ(3)と、中棒(1)の下端に固着した手元(4)と、基端部を上ロクロに枢結した親骨(5)と、両端部を下ロクロと親骨の長手方向中途部に枢結した受骨(8)とから構成され、親骨(5)がほぼ直線状に延びる弾性変形可能な合成樹脂製の丸棒材から成る洋傘において、
親骨(5)の先端から所定距離(L)だけ離間した部位に塑性変形可能な金属製の管材(12)を外嵌せしめており、
前記管材(12)は、親骨(5)に外嵌された直線状態から屈折状に塑性変形されることにより、親骨(5)を直線状態に復元しないように抱持すると共に、該管材(12)を親骨(5)の軸方向及び周方向に固定し、前記屈折された屈折部(13)を介して、上ロクロに向けて延びる基部側管部(12a)と、手元に向けて延びる先端側管部(12b)とを構成し、
親骨(5)は、管材(12)の基部側管部(12a)から基端部に至り直線状に延びる骨本体部(5a)と、管材(12)の先端側管部(12b)から手元(4)に向けて延びる骨先端部(5b)とを構成して成ることを特徴とする洋傘における親骨。
【請求項２】
Ｘ軸方向に向けて直線状に延びる弾性変形可能な合成樹脂製の丸棒材から成る親骨素材(5M)に対して、Ｘ軸に交差するＹ軸方向に枢結孔(6p)を備えた端部枢結具(6)を親骨素材(5M)の基端部に設けると共に、Ｘ軸及びＹ軸に交差するＺ軸方向に突出するブラケット(7a)を備え且つ該ブラケット(7a)にＹ軸方向の枢結孔(7p)を備えた中途部枢結具(7)を親骨素材(5M)の長手方向中途部に設けることにより親骨(5)を形成する中間製品形成工程と、
塑性変形可能な金属製の管材(12)を親骨(5)の先端から所定距離(L)だけ離間した部位に外挿せしめる管材外挿工程と、
親骨(5)を含む管材(12)をＺ軸方向に所定角度だけ屈折変形することにより親骨(5)と管材(12)を一体化せしめる管材屈折工程とから成ることを特徴とする洋傘における親骨製造方法。
【発明の詳細な説明】
【０００１】
【発明の属する技術分野】
本発明は、洋傘における親骨及び親骨製造方法に関する。
【０００２】
【従来の技術】
従来、種々の骨組構成とされた洋傘が公知であるが、近年、耐蝕性、製造容易性、低コスト化等の観点から、合成樹脂製の丸棒材により形成した親骨が広く使用されている。
【０００３】
このような洋傘の１例を図４に基づいて説明すると、図４（Ａ）に示すように、中棒１には、上端に上ロクロ２が固着され、その下方において下ロクロ３が摺動自在に外挿されており、下端に手元４が固着されている。親骨５は、基端部に設けた端部枢結具６を上ロクロ２に枢結され、該親骨５の長手方向中途部に中途部枢結具７を設けている。受骨８は、一端部に設けた端部枢結具９を下ロクロ３に枢結すると共に、他端部に設けた端部枢結具１０を中途部枢結具７のブラケット７ａに枢結している。従って、実線で示すように、下ロクロ３を上昇せしめると、受骨８が展開しつつ親骨５を押し上げ、骨組を開傘する。反対に、鎖線で示すように、下ロクロ３を下降せしめると、受骨８が起立しながら親骨５を引き下げ、骨組を閉傘する。
【０００４】
親骨５は、一直線状に延びる合成樹脂製の丸棒材により形成されている。このような丸棒材は、カーボン繊維やガラス繊維により強化された合成樹脂を押出成形又は引抜成形することにより形成された長尺の樹脂製線材を所定の長さ寸法に切断することにより得られるものであり、常態においては一直線状に延びる形態を有するが、軸線を湾曲せしめる方向に弾性変形可能とされている。従って、親骨５に傘布を張設した洋傘において、親骨５は、実線で示す開傘時には湾曲状態に変形するが、鎖線で示す閉傘時には直線状態に復元する。
【０００５】
【発明が解決しようとする課題】
前述のように、親骨５を構成する合成樹脂製の丸棒材は、傘布の張力を受けない閉傘時に一直線状の復元形態を呈するため、図４（Ｂ）に示すように、洋傘の完全閉傘状態において、親骨５の先端が放射方向に傾斜して開き、手元４の周面から隙間Ｓで示すように大きく離れてしまうという問題がある。即ち、親骨５の先端を手元４の周面に近接するように集束せしめることができないため、スリムな閉傘形態とならず、見栄えが悪い。
【０００６】
このため、従来、スリムな閉傘状態を可能にするため、親骨５の可及的先端に近い部分において、テープバンドを巻回することにより親骨５を結束することが行われている。この点に関して、一般的に、親骨５の先端には別部材としての露先部材１１が外挿されているため、可及的先端近傍をテープバンドにより結束するためには、テープバンドを露先部材１１に巻回せしめなければならなくなる。然しながら、露先部材１１は、通常、糸孔１１ａを介して傘布に縫着されているだけで、親骨５には固着されておらず容易に抜け出す構成であり、しかも、親骨５を湾曲方向に弾性変形せしめながら、露先部材１１をテープバンドで結束しなければならないため、露先１１が親骨５の先端から容易に脱落する虞れがある。
【０００７】
【課題を解決するための手段】
本発明は、上記課題を解決するため、親骨を押出成形又は引抜成形された一直線状の合成樹脂製丸棒材により形成しながらも、閉傘時における親骨の先端部を手元の周囲に好適に集束せしめることができる洋傘を提供するものである。
【０００８】
そこで、本発明の洋傘における親骨が手段として構成したところは、中棒の上端に固着した上ロクロと、中棒に摺動自在に外挿せしめた下ロクロと、中棒の下端に固着した手元と、基端部を上ロクロに枢結した親骨と、両端部を下ロクロと親骨の長手方向中途部に枢結した受骨とから構成され、親骨がほぼ直線状に延びる弾性変形可能な合成樹脂製の丸棒材から成る洋傘において、親骨の先端から所定距離だけ離間した部位に塑性変形可能な金属製の管材を外嵌せしめており、前記管材は、親骨に外嵌された直線状態から屈折状に塑性変形されることにより、親骨を直線状態に復元しないように抱持すると共に、該管材を親骨の軸方向及び周方向に固定し、前記屈折された屈折部を介して、上ロクロに向けて延びる基部側管部と、手元に向けて延びる先端側管部とを構成し、親骨は、管材の基部側管部から基端部に至り直線状に延びる骨本体部と、管材の先端側管部から手元に向けて延びる骨先端部とを構成して成る点にある。
【０００９】
また、本発明の親骨製造方法が手段として構成したところは、Ｘ軸方向に向けて直線状に延びる弾性変形可能な合成樹脂製の丸棒材から成る親骨素材に対して、Ｘ軸に交差するＹ軸方向に枢結孔を備えた端部枢結具を親骨素材の基端部に設けると共に、Ｘ軸及びＹ軸に交差するＺ軸方向に突出するブラケットを備え且つ該ブラケットにＹ軸方向の枢結孔を備えた中途部枢結具を親骨素材の長手方向中途部に設けることにより親骨を形成する中間製品形成工程と、塑性変形可能な金属製の管材を親骨の先端から所定距離だけ離間した部位に外挿せしめる管材外挿工程と、親骨を含む管材をＺ軸方向に所定角度だけ屈折変形することにより親骨と管材を一体化せしめる管材屈折工程とから成る点にある。
【００１０】
【発明の実施の形態】
以下図面に基づいて本発明の好ましい実施形態を詳述する。
【００１１】
（洋傘の骨組構造）
以下に説明する本発明の洋傘は、例示する長傘の場合、親骨５の先端近傍部における構成を除いては、図４（Ａ）に基づいて説明した従来の骨組構造と同様であり、従って、重複する説明は省略しているので、諒解されたい。然しながら、本発明の親骨５に関する構成は、長傘のみならず折畳洋傘にも適用可能であることを理解されたい。何れにしても、親骨５は、上述したようなカーボン繊維やガラス繊維により強化された合成樹脂を押出成形又は引抜成形することにより形成された長尺の樹脂製線材を所定の長さ寸法に切断することにより得られた丸棒材により構成されており、常態においては一直線状に延びる形態を有するが、軸線を湾曲せしめる方向に弾性変形可能である。
【００１２】
図１に示すように、親骨５は、先端から所定距離だけ離間した部位に管材１２を外挿状態で外嵌せしめており、該管材１２は、軸線に対して屈折された屈折部１３を介して、上ロクロ３（図示省略、図４（Ａ）参照）に向けて延びる基部側管部１２ａと、手元４に向けて延びる先端側管部１２ｂとを備えている。このため、親骨５は、管材１２の基部側管部１２ａから基端部に至り直線状に延びる骨本体部５ａと、管材１２の先端側管部１２ｂから手元４に向けて延びる骨先端部５ｂとを構成している。尚、骨先端部５ｂの先端には、露先部材１１が外挿せしめられる。
【００１３】
そこで、傘布を張設した洋傘において、親骨５は、開傘時には傘布の張力を受けながら骨本体部５ａを湾曲せしめるが、閉傘時には傘布の張力から解放されるので、骨本体部５ａを直線状態に復元する。そして、図示のように、洋傘の完全閉傘状態において、親骨５の露先部材１１を含む骨先端部５ｂは、手元４の周面に向けて傾斜せしめられ、好適に集束されるので、スリムな外観を呈する。
【００１４】
（第１実施例）
図２（Ａ）に示す第１実施例において、親骨５は、骨本体部５ａと骨先端部５ｂを一連一体とした１本の丸棒材により構成されており、管材１２は、塑性変形可能な金属製のパイプ材により構成されている。この第１実施例の製造方法と利点は後述する。
【００１５】
（第２実施例）
図２（Ｂ）に示す第２実施例において、親骨５は、骨本体部５ａと骨先端部５ｂを分断された２本の丸棒材により構成されており、管材１２は、塑性変形可能な金属製のパイプ材により構成されている。骨本体部５ａと骨先端部５ｂは、それぞれ一直線状に押出成形又は引抜形成された合成樹脂製の丸棒材を使用されるが、管材１２の長手方向中途部まで骨本体部５ａを挿入した状態で、骨本体部５ａを含む管材１２を所定角度だけ屈折変形せしめることにより屈折部１２ｃを形成し、屈折部１２ｃを介して管材１２に基部側管部１２ａと先端側管部１２ｂを形成せしめている。そこで、管材１２に屈折部１２ａを形成すると同時に、骨本体部５ａに屈折部５ｃを形成する。これにより、骨本体部５ａの屈折部５ｃは、管材１２の屈折部１２ａにより抱持されるので、相互に一体的に結合される。即ち、管材１２は、骨本体部５ａの軸方向にも周方向にも遊動しないように堅く固定される。
【００１６】
骨先端部５ｂは、管材１２の先端側管部１２ｂに挿入され、該先端側管部１２ｂの外周側からカシメ等により形成した固着部１４ａにより脱落不能に固着される。尚、固着部１４ａは、カシメ手段による他、接着剤により構成しても良い。更には、骨先端部５ｂを露先部材１１と一体に形成する場合は、単に先端側管部１２ｂに挿入するだけでも良い。
【００１７】
（第１実施例の製造方法）
図２（Ａ）に示した第１実施例に係る親骨５は、図３に示すような工程を経て製造される。
【００１８】
先ず、図３（Ａ）に示すように、押出成形又は引抜成形された直線状に延びる弾性変形可能な合成樹脂製の丸棒材から成る親骨素材５Ｍに対して、端部枢結具６を親骨素材５Ｍの基端部に設けると共に、中途部枢結具７を親骨素材５Ｍの長手方向中途の所定の部位に設けることにより、中間製品としての親骨５を形成する（中間製品形成工程）。このような端部枢結具６及び中途部枢結具７は、予め金属製又は合成樹脂製の別部材として形成したものを親骨素材５Ｍに取付け固着する構成としても良いが、親骨素材５Ｍを金型に挿入した状態で射出成形し一体化せしめるインサート成形により形成しても良い。何れにしても、親骨素材５Ｍの軸線をＸ軸としたとき、端部枢結具６は、Ｘ軸に交差するＹ軸方向の枢結孔６ｐを備えている。また、中途部枢結具７は、Ｘ軸及びＹ軸に交差するＺ軸方向に突出するブラケット７ａを備え、該ブラケット７ａにＹ軸方向の枢結孔７ｐを備えている。
【００１９】
このような中間製品としての親骨５に対して、図３（Ａ）に示すように、塑性変形可能な金属製とされた直管状の管材１２を親骨５の先端から所定距離Ｌだけ離間した部位に外挿せしめる（管材外挿工程）。管材１２は、鉄製、真鍮製、アルミニウム製、その他の金属製とされており、塑性変形可能な素材により形成されており、親骨５にほぼ適合した状態で外挿せしめられる内径を有する。
【００２０】
そこで、図３（Ｂ）に示すように、親骨５を含む管材１２をＺ軸方向（即ち中途部枢結具７からブラケット７ａが突出する方向）に所定角度だけ屈折変形することにより、親骨５と管材１２を一体化せしめる（管材屈折工程）。上述のように親骨５を構成する丸棒材は、湾曲方向に弾性変形可能であるから、容易に屈折され復元力を蓄積するが、外周側において屈折状に塑性変形された管材１２により抱持されているので、直線状態への復元を阻止されている。そして、内側の親骨５と外側の管材１２との両者が屈折されているので、管材１２は、親骨５に対して軸方向及び周方向の何れにも堅く固定され、遊動することはない。
【００２１】
以上のようにして、屈折部１３の両側に基部側管部１２ａと先端側管部１２ｂを備えた管材１２を介して、該基部側管部１２ａから基端部に至り直線状に延びる骨本体部５ａと、該先端側管部１２ｂから手元４に向けて延びる骨先端部５ｂを備えた親骨５の製品が完成する。尚、図３（Ｃ）に示すように、骨先端部５ｂの先端には、随意に露先部材１１が外挿せしめられる。
【００２２】
【発明の効果】
本発明によれば、親骨５を押出成形又は引抜成形された一直線状の合成樹脂製丸棒材５Ｍにより形成しながらも、閉傘時における親骨５の先端部５ｂを手元４の周囲に好適に集束せしめることができるという効果がある。
【図面の簡単な説明】
【図１】  本発明の１実施形態に係る親骨を備えた洋傘を閉傘状態において部分的に示す正面図である。
【図２】  本発明に係る親骨の実施例を示しており、（Ａ）は第１実施例を示す断面図、（Ｂ）は第２実施例を示す断面図を示す断面図である。
【図３】  本発明に係る親骨製造方法の１実施形態を示しており、（Ａ）は中間製品形成工程と管材外挿工程を示す正面図、（Ｂ）は管材屈折工程を示す正面図、（Ｃ）は完成した親骨に露先部材を外挿せしめた状態を示す正面図である
【図４】  従来例を示しており、（Ａ）は開傘状態を示す正面図、（Ｂ）は閉傘状態を示す正面図である。
【符号の説明】
１    中棒
２    上ロクロ
３    下ロクロ
４    手元
５    親骨
５Ｍ  親骨素材
５ａ  骨本体部
５ｂ  骨先端部
６    端部枢結具
６ｐ  枢結孔
７    中途部枢結具
７ａ  ブラケット
７ｐ  枢結孔
８    受骨
１１    露先部材
１２    管部材
１２ａ  基部側管部
１２ｂ  先端側管部
１３    屈折部
【図１】
0003762310.tif 000002
【図３】
0003762310.tif 000003
【図４】
0003762310.tif 000004
【図２】
0003762310.tif 000005